(57)【要約】【課題】保護素子の実装可能な十分な面積を確保することができ、簡便な設置工程でベアセルに結合される連結構造を有する保護回路モジュールを含む二次電池パックを提供する。【解決手段】本発明の一実施形態の二次電池パックは、第１表面部と、第１表面部から突出して形成される第２表面部とから構成されたテラス部を含むベアセルと、ベアセルに電気的に連結され、テラス部の第１表面部から突出して第２表面部に沿って延びる電極タブと、第１表面部に向かって曲げられて電極タブに結合される連結タブと、連結タブが結合される保護回路基板とを含む保護回路モジュールとを含む。【選択図】図２
2015002172.tif 000002
【特許請求の範囲】
【請求項１】
第１表面部と、前記第１表面部から突出して形成される第２表面部とから構成されたテラス部を含むベアセルと、
前記ベアセルに電気的に連結され、前記テラス部の前記第１表面部から突出して前記第２表面部に沿って延びる電極タブと、
前記第１表面部に向かって曲げられて前記電極タブに結合される連結タブと、前記連結タブが結合される保護回路基板とを含む保護回路モジュールとを含むことを特徴とする二次電池パック。
【請求項２】
前記連結タブは、
前記保護回路基板の角に結合される連結部と、前記電極タブに結合され、前記連結部から折曲されて形成される結合部と、前記連結部および前記結合部を連結する折曲部とを含むことを特徴とする請求項１記載の二次電池パック。
【請求項３】
前記連結部は、前記折曲部が前記第１表面部に向き合うように曲げられて前記結合部に積層され、前記結合部は、前記電極タブ上に積層されて前記電極タブに結合されることを特徴とする請求項２記載の二次電池パック。
【請求項４】
前記結合部は、前記連結部から折曲されて形成される第１結合部と、前記第１結合部から折曲されて形成される第２結合部と、前記第２結合部から折曲されて形成される第３結合部とを含むことを特徴とする請求項２記載の二次電池パック。
【請求項５】
前記折曲部は、
前記連結部と前記第１結合部とを連結する第１折曲部と、
前記第１結合部と前記第２結合部とを連結する第２折曲部と、
前記第２結合部と前記第３結合部とを連結する第３折曲部とを含むことを特徴とする請求項４記載の二次電池パック。
【請求項６】
前記連結部は、前記第１折曲部が前記第１表面部に向かうように曲げられて前記第１結合部に積層され、
前記第１結合部は、前記第２折曲部が前記第１表面部の反対方向に向かうように曲げられて前記第２結合部に積層され、
前記第２結合部は、前記第３折曲部が前記第１表面部に向かうように曲げられて前記第３結合部に積層され、
前記第３結合部は、前記電極タブに積層されて前記電極タブに結合されることを特徴とする請求項５記載の二次電池パック。
【請求項７】
前記ベアセルを収容するケースをさらに含むことを特徴とする請求項１記載の二次電池パック。
【請求項８】
前記ケースは、
前記保護回路モジュールが結合される固定突起を含むことを特徴とする請求項７記載の二次電池パック。
【請求項９】
前記ケースは、前記ケースの底に形成される放熱溝をさらに含むことを特徴とする請求項８記載の二次電池パック。
【請求項１０】
前記ベアセルは、複数のベアセルを含み、
前記連結タブは、前記複数のベアセルそれぞれの電極タブに結合される複数の連結タブを含むことを特徴とする請求項１ないし９のいずれか１項記載の二次電池パック。
【発明の詳細な説明】
【技術分野】
【０００１】
本発明は、二次電池パックに関するものである。
【背景技術】
【０００２】
二次電池（rechargeable battery）は、一次電池とは異なり、充電および放電を繰り返し行う電池である。小容量の二次電池は、携帯電話やノートパソコンおよびビデオカメラのように携帯が可能な小型電子機器に用いられ、大容量の二次電池は、電気自転車、スクータ、電気自動車（Electric Vehicle）およびフォークリフト（fork lift）などのモータ駆動用電源として用いられる。
【０００３】
二次電池パックは、ベアセル（bare cell)と、ベアセルを保護する保護回路モジュール（ＰＣＭ、Protection Circuit Module）とを含む。保護回路モジュールは、過充電、過放電、過電流および短絡からベアセルを保護するように保護回路を形成する回路基板と、これに実装される保護素子とを含む。
【０００４】
パウチ型ベアセルは、平板型（tablet type)で構成され、ベアセルの一面にはテラス部が形成され、テラス部には、ベアセルの電極組立体に電気的に連結される電極タブが突出し、電極タブは、保護回路モジュールと溶接で結合される。
【０００５】
ここで、保護回路モジュールを電極タブと溶接結合させる時、保護回路モジュールの保護回路基板に電極タブが溶接されるため、保護回路モジュールに保護素子を設置可能な実装面積が小さくなり、ベアセルへの保護回路モジュールの設置工程が複雑になる問題が発生した。
【０００６】
また、保護回路モジュールの保護回路基板に電極タブが溶接され、保護回路モジュールに保護素子を設置可能な実装面積が小さくなるのを防止するためには、電極タブに溶接結合され、電極タブおよび保護回路モジュールを連結する追加の構成を用いなければならない。
【０００７】
しかし、追加の構成を用いると、二次電池パックの部品数が増加し、ベアセルへの保護回路モジュールの設置工程が複雑になり、二次電池パックの生産コストが上昇する問題が発生した。
【発明の概要】
【発明が解決しようとする課題】
【０００８】
本発明は、上記の問題を解決するためになされたものであって、本発明の一態様は、保護素子の実装可能な十分な面積を確保することができ、簡便な設置工程でベアセルに結合される連結構造を有する保護回路モジュールを含む二次電池パックを提供するためのものである。
【課題を解決するための手段】
【０００９】
本発明の一実施形態にかかる二次電池パックは、第１表面部と、第１表面部から突出して形成される第２表面部とから構成されたテラス部を含むベアセルと、ベアセルに電気的に連結され、テラス部の第１表面部から突出して第２表面部に沿って延びる電極タブと、第１表面部に向かって曲げられて電極タブに結合される連結タブと、連結タブが結合される保護回路基板とを含む保護回路モジュールとを含む。
【００１０】
また、連結タブは、保護回路基板の角に結合される連結部と、電極タブに結合され、連結部から折曲されて形成された結合部と、連結部および結合部を連結する折曲部とを含むことができる。
【００１１】
さらに、連結部は、折曲部が第１表面部に向き合うように曲げられて結合部に積層され、結合部は、電極タブ上に積層されて電極タブに結合できる。
【００１２】
また、結合部は、連結部から折曲されて形成される第１結合部と、第１結合部から折曲されて形成される第２結合部と、第２結合部から折曲されて形成される第３結合部とを含むことができる。
【００１３】
さらに、折曲部は、連結部と第１結合部とを連結する第１折曲部と、第１結合部と第２結合部とを連結する第２折曲部と、第２結合部と第３結合部とを連結する第３折曲部とを含むことができる。
【００１４】
また、連結部は、第１折曲部が第１表面部に向かうように曲げられて第１結合部に積層され、第１結合部は、第２折曲部が第１表面部の反対方向に向かうように曲げられて第２結合部に積層され、第２結合部は、第３折曲部が第１表面部に向かうように曲げられて第３結合部に積層され、第３結合部は、電極タブに積層されて電極タブに結合できる。
【００１５】
また、ベアセルを収容するケースをさらに含むことができる。さらに、ケースは、保護回路モジュールが結合される固定突起を含むことができる。また、ケースは、ケースの底に形成される放熱溝をさらに含むことができる。
【００１６】
さらに、ベアセルは、複数のベアセルを含むことができ、連結タブは、複数のベアセルそれぞれの電極タブに結合される複数の連結タブを含むことができる。
【発明の効果】
【００１７】
本発明の一態様によれば、保護回路基板の角に連結タブが結合されるため、保護回路モジュールがベアセルに結合される時、保護素子の実装される面積が減少せず、連結タブをベアセル方向に曲げて電極タブに簡便に結合させることが可能な二次電池パックを提供することができる。
【図面の簡単な説明】
【００１８】
【図１】本発明の第１実施形態にかかる二次電池パックの斜視図である。
【図２】図１の二次電池パックの分解斜視図である。
【図３】図１の二次電池パックの保護回路モジュールがベアセルに結合された状態を示す側面図である。
【図４】本発明の第２実施形態にかかる二次電池パックの分解斜視図である。
【図５】図４の二次電池パックの保護回路モジュールがベアセルに結合された状態を示す側面図である。
【図６】本発明の第３実施形態にかかる二次電池パックの斜視図である。
【図７】図６の二次電池パックの分解斜視図である。
【図８】図６におけるＶＩＩＩ−ＶＩＩＩ線断面図である。
【発明を実施するための形態】
【００１９】
以下、添付した図面を参照して、本発明の実施形態について、本発明の属する技術分野における通常の知識を有する者が容易に実施できるように詳細に説明する。しかし、本発明は、種々の異なる形態で実現可能であり、ここで説明する実施形態に限定されない。図面において、本発明を明確に説明するために説明上不必要な部分は省略し、明細書全体にわたって同一または類似の構成要素については同一の参照符号を付した。
【００２０】
図１は、本発明の第１実施形態にかかる二次電池パックの斜視図であり、図２は、図１の二次電池パックの分解斜視図である。
【００２１】
図１および図２を参照すれば、本実施形態にかかる二次電池パック１００は、ケース１０と、ケース１０に挿入されるベアセル２０と、ベアセル２０に結合される保護回路モジュール３０とを含む。
【００２２】
本実施形態にかかるケース１０は、ケース本体１１と、ケース本体１１の底から突出して形成される固定突起１２と、ケース本体１１の底に形成された放熱溝１３とを含む。
【００２３】
ケース１０の固定突起１２は、保護回路モジュール３０に形成された貫通ホール３４に結合され、保護回路モジュール３０を固定させることができる。
【００２４】
また、ケース本体１１の底に形成された放熱溝１３は、ケース１０にベアセル２０が挿入固定された後、ベアセル２０の一面をケース１０の外部に露出させる。
【００２５】
本発明の一実施形態にかかるベアセル２０は、二次電池（例：パウチ型）であり得、ベアセル本体２１と、ベアセル本体２１の一端に形成されるテラス部２２とを含む。
【００２６】
さらに、テラス部２２は、ベアセル本体２１の一端に形成される第１表面部２２１と、第１表面部２２１から突出して形成される第２表面部２２２とを含む。
【００２７】
また、本実施形態にかかる電極タブは、ベアセル２０の電極組立体（図示せず）に電気的に連結され、テラス部２２の第１表面部２２１から突出して第２表面部２２２に沿って延び、第１電極（図示せず）に連結される第１電極タブ２３と、第２電極（図示せず）に連結される第２電極タブ２４とを含む。
【００２８】
本実施形態にかかる保護回路モジュール３０は、保護回路基板３１と、保護回路基板３１に結合される第１連結タブ３２および第２連結タブ３３を含む連結タブとを含む。
【００２９】
図３は、図１の二次電池パックの保護回路モジュールがベアセルに結合された状態を示す側面図である。
【００３０】
図３を参照すれば、本実施形態にかかる保護回路モジュール３０の第２連結タブ３３は、保護回路基板３１に結合される連結部３３ａと、連結部３３ａから折曲されて形成される結合部３３ｂと、連結部３３ａと結合部３３ｂとを連結する折曲部３３ｃとを含む。
【００３１】
ここで、本実施形態にかかる第１連結タブ３２は、第２連結タブ３３と同じ構造からなるので、以下、第１連結タブ３２に関する詳細な説明は省略する。
【００３２】
本実施形態にかかる連結部３３ａは、テラス部２２の第２表面部２２２に向き合い、保護回路基板３１の第１側面３１ａの反対側に位置する第２側面３１ｂに結合される。
【００３３】
ここで、保護回路基板３１の第２側面３１ｂには、保護素子（図示せず）が実装される。また、連結部３３ａは、保護回路基板３１の第２側面３１ｂの外郭に位置する角部分に結合される。
【００３４】
したがって、本実施形態によれば、保護回路モジュール３０の保護回路基板３１の外郭に位置する角部分に第２連結タブ３３が結合されるため、保護回路基板３１の第２側面３１ｂに保護素子が実装可能な面積を十分に確保することができる。
【００３５】
さらに、本実施形態にかかる結合部３３ｂは、連結部３３ａから折曲されて形成される。この時、本実施形態にかかる連結部３３ａと結合部３３ｂとの間には、連結部３３ａと結合部３３ｂとを連結する折曲部３３ｃが形成される。
【００３６】
ここで、本実施形態にかかる折曲部３３ｃは、テラス部２２の第１表面部２２１に向かって折曲される。
【００３７】
以下、本実施形態にかかる第２連結タブ３３が第２電極タブ２４に結合される過程を詳細に説明する。
【００３８】
本実施形態によれば、連結部３３ａは、折曲部３３ｃがベアセル２０のテラス部２２の第１表面部２２１に向き合うように曲げられて結合部３３ｂ上に積層される。
【００３９】
また、結合部３３ｂは、ベアセル２０のテラス部２２の第２表面部２２２上に設けられた第２電極タブ２４に積層されて結合される。
【００４０】
結局、第２連結タブ３３は、保護回路基板３１の第２側面３１ｂの下に、第２連結タブ３３の連結部３３ａおよび結合部３３ｂが第２電極タブ２４上に順に積層され、連結部３３ａおよび結合部３３ｂを連結する折曲部３３ｃが、テラス部２２の第１表面部２２１に向かうように第２電極タブ２４に結合される。
【００４１】
したがって、本実施形態によれば、第２連結タブ３３を折曲させて第２電極タブ２４に連結させるため、簡単な設置工程で保護回路モジュール３０をベアセル２０に結合させることができる。
【００４２】
また、テラス部２２の第１表面部２２１に向かって第２連結タブ３３が折曲されるため、第２連結タブ３３がテラス部２２の第２表面部２２２から外れることなく設置可能である。
【００４３】
したがって、本実施形態によれば、保護回路モジュール３０がベアセル２０に連結タブによって連結されても、二次電池パック１００の全体体積が増加することが防止できる。
【００４４】
図４は、本発明の第２実施形態にかかる二次電池パックの分解斜視図であり、図５は、図４の二次電池パックの保護回路モジュールがベアセルに結合された状態を示す側面図である。
【００４５】
図４および図５を参照して説明すれば、本実施形態にかかる二次電池パック２００は、本発明の第１実施形態にかかる二次電池パック１００とは保護回路モジュール２３０を除いて同じ構成からなる。
【００４６】
したがって、以下、本発明の第１実施形態にかかる二次電池パック１００と同じ構成に関する詳細な説明は省略する。
【００４７】
本実施形態にかかる保護回路モジュール２３０は、保護回路基板２３１と、保護回路基板２３１に結合される第１連結タブ２３２および第２連結タブ２３３を含む連結タブとを含む。
【００４８】
図５を参照して説明すれば、本実施形態にかかる第２連結タブ２３３は、保護回路基板２３１に結合される連結部２３３ａを含む。
【００４９】
また、第２連結タブ２３３は、連結部２３３ａから折曲されて形成される第１結合部２３３ｂと、第１結合部２３３ｂから折曲されて形成される第２結合部２３３ｃと、第２結合部２３３ｃから折曲されて形成される第３結合部２３３ｄとを含む結合部を含む。
【００５０】
ここで、本実施形態にかかる第１連結タブ２３２は、第２連結タブ２３３と同じ構造からなるので、以下、第１連結タブ２３２に関する詳細な説明は省略する。
【００５１】
本実施形態にかかる連結部２３３ａは、テラス部２２の第２表面部２２２に向き合い、保護回路基板２３１の第１側面２３１ａの反対側に位置する第２側面２３１ｂに結合される。
【００５２】
ここで、保護回路基板２３１の第２側面２３１ｂには、保護素子（図示せず）が実装される。この時、連結部２３３ａは、保護回路基板２３１の第２側面２３１ｂの外郭に位置する角部分に結合される。
【００５３】
したがって、本実施形態によれば、保護回路モジュール２３０の保護回路基板２３１の外郭に位置する角部分に第２連結タブ２３３が結合されるため、保護回路基板２３１の第２側面２３１ｂに保護素子が実装可能な面積を十分に確保することができる。
【００５４】
本実施形態にかかる折曲部は、連結部２３３ａと第１結合部２３３ｂとを連結する第１折曲部２３３ｅと、第１結合部２３３ｂと第２結合部２３３ｃとを連結する第２折曲部２３３ｆと、第２結合部２３３ｃと第３結合部２３３ｄとを連結する第３折曲部２３３ｇとを含む。
【００５５】
以下、本実施形態にかかる第２連結タブ２３３が第２電極タブ２４に結合される過程を詳細に説明する。
【００５６】
図５に示されるように、本実施形態にかかる連結部２３３ａは、第１折曲部２３３ｅがテラス部２２の第１表面部２２１に向かうように曲げられて第１結合部２３３ｂに積層される。
【００５７】
また、第１結合部２３３ｂは、第２折曲部２３３ｆが第１表面部２２１の反対方向に向かうように曲げられて第２結合部２３３ｃに積層される。
【００５８】
さらに、第２結合部２３３ｃは、第３折曲部２３３ｇが第１表面部２２１に向かうように曲げられて第３結合部２３３ｄに積層される。
【００５９】
また、第３結合部２３３ｄは、テラス部２２の第２表面部２２２上に設けられた第２電極タブ２４に積層されて結合される。
【００６０】
結局、本実施形態にかかる第２連結タブ２３３は、保護回路基板２３１の第２側面２３１ｂの下に、第２連結タブ２３３の連結部２３３ａおよび第１ないし第３結合部２３３ｂ、２３３ｃ、２３３ｄが第２電極タブ２４上に順に積層され、連結部２３３ａおよび第１結合部２３３ｂを連結する第１折曲部２３３ｅと、第２結合部２３３ｃおよび第３結合部２３３ｄを連結する第３折曲部２３３ｇとが、テラス部２２の第１表面部２２１に向かうように第２電極タブ２４に結合される。
【００６１】
したがって、本実施形態によれば、第２連結タブ２３３を折曲させて第２電極タブ２４に連結させるため、簡単な設置工程で保護回路モジュール２３０をベアセル２０に結合させることができる。
【００６２】
また、テラス部２２の第１表面部２２１に向かって第２連結タブ２３３の第１折曲部２３３ｅおよび第３折曲部２３３ｇが折曲されるため、第２連結タブ２３３がテラス部２２の第２表面部２２２から外れることなく設置可能である。
【００６３】
したがって、本実施形態によれば、保護回路モジュール２３０がベアセル２０に連結タブによって連結されても、二次電池パック２００の全体体積が増加することが防止できる。
【００６４】
図６は、本発明の第３実施形態にかかる二次電池パックの斜視図であり、図７は、図６の二次電池パックの分解斜視図であり、図８は、図６におけるＶＩＩＩ−ＶＩＩＩ線断面図である。
【００６５】
図６および図７を参照して説明すれば、本実施形態にかかる二次電池パック３００は、ケース３１０と、ケース３１０に挿入される第１ベアセル３２０および第２ベアセル３３０と、第１ベアセル３２０および第２ベアセル３３０に結合される保護回路モジュール３４０とを含む。
【００６６】
本実施形態にかかるケース３１０は、ケース本体３１１と、区画バー３１２と、区画バー３１２から突出する固定突起３１３と、ケース３１０の底に形成された第１放熱溝３１４および第２放熱溝３１５とを含む。
【００６７】
ケース３１０の区画バー３１２に形成された固定突起３１３は、保護回路モジュール３４０に形成された貫通ホール３４６に結合され、保護回路モジュール３４０を固定させることができる。
【００６８】
また、本実施形態にかかる第１放熱溝３１４および第２放熱溝３１５は、区画バー３１２を挟んでケース３１０の底に形成される。
【００６９】
したがって、ケース３１０に第１ベアセル３２０および第２ベアセル３３０が挿入されると、第１ベアセル３２０および第２ベアセル３３０それぞれの一面が第１放熱溝３１４および第２放熱溝３１５を介してケース３１０の外部に露出する。
【００７０】
本発明の一実施形態にかかる第１ベアセル３２０は、二次電池（例：パウチ型）であり得、第１ベアセル本体３２１と、第１ベアセル本体３２１の一端に形成される第１テラス部３２２とを含む。
【００７１】
また、第１テラス部３２２は、第１ベアセル本体３２１の一端に形成される第１表面部３２２ａと、第１表面部３２２ａから突出して形成される第２表面部３２２ｂとを含む。
【００７２】
さらに、本実施形態にかかる電極タブは、第１ベアセル３２０の電極組立体（図示せず）に電気的に連結され、テラス部２２２の第１表面部３２２ａから突出して第２表面部３２２ｂ沿って延びる。
【００７３】
ここで、本実施形態にかかる電極タブは、第１電極（図示せず）に連結される第１電極タブ３２３と、第２電極（図示せず）に連結される第２電極タブ３２４とを含む。
【００７４】
本発明の一実施形態にかかる第２ベアセル３３０は、二次電池（例：パウチ型）であり得、第２ベアセル本体３３１と、第２ベアセル本体３３１の一端に形成される第２テラス部３３２とを含む。
【００７５】
また、第２テラス部３３２は、第２ベアセル本体３３１の一端に形成される第３表面部３３２ａと、第３表面部３３２ａから突出して形成される第４表面部３３２ｂとを含む。
【００７６】
さらに、本実施形態にかかる電極タブは、第２ベアセル３３０の電極組立体（図示せず）に電気的に連結され、第２テラス部３３２の第３表面部３３２ａから突出して第４表面部３３２ｂに沿って延びる。
【００７７】
ここで、本実施形態にかかる電極タブは、第１電極（図示せず）に連結される第３電極タブ３３３と、第２電極（図示せず）に連結される第４電極タブ３３４とを含む。
【００７８】
また、本実施形態にかかる保護回路モジュール３４０は、保護回路基板３４１と、第１連結タブ３４２と、第２連結タブ３４３と、第３連結タブ３４４と、第４連結タブ３４５と、固定突起３１３に結合される貫通ホール３４６とを含む。
【００７９】
ここで、本実施形態にかかる第１ないし第４連結タブ３４２、３４３、３４４、３４５それぞれは、本発明の第２実施形態にかかる二次電池パック２００の第１および第２連結タブ２３２、２３３と同じ構造からなる。
【００８０】
したがって、以下、本発明の第２実施形態にかかる二次電池パック２００の第１および第２連結タブ２３２、２３３と同じ部分に関する詳細な説明は省略する。
【００８１】
図８を参照すれば、本実施形態にかかる第１連結タブ３４２は、保護回路基板３４１の角に結合される連結部３４２ａと、連結部３４２ａから屈曲して形成される第１結合部３４２ｂと、第１結合部３４２ｂから屈曲して形成される第２結合部３４２ｃと、第２結合部３４２ｃから屈曲して形成される第３結合部３４２ｄとを含む結合部を含む。
【００８２】
本実施形態にかかる第１連結タブ３４２は、保護回路基板３４１の下に、第１連結タブ３４２の連結部３４２ａおよび第１ないし第３結合部３４２ｂ、３４２ｃ、３４２ｄが第１電極タブ３２３上に順に積層されて第１電極タブ３２３に結合される。
【００８３】
ここで、本実施形態にかかる第２ないし第４連結タブ３４３、３４４、３４５は、第１連結タブ３４２と同じ構造からなるので、以下、第２ないし第４連結タブ３４３、３４４、３４５に関する詳細な説明は省略する。
【００８４】
したがって、本実施形態によれば、第１ないし第４連結タブ３４２、３４３、３４４、３４５それぞれが折曲されて第１ないし第４電極タブ３２３、３２４、３３３、３３４に結合されるため、簡単な設置工程で保護回路モジュール３４０を第１ベアセル３２０および第２ベアセル３３０それぞれに結合させることができる。
【００８５】
本実施形態にかかる第１ないし第４連結タブ３４２、３４３、３４４、３４５それぞれと第１ないし第４電極タブ３２３、３２４、３３３、３３４それぞれとの結合関係は、本発明の第２実施形態にかかる二次電池パック２００の第１および第２連結タブ２３２、２３３それぞれと第１および第２電極タブ２３、２４との結合関係と同じである。
【００８６】
結局、本実施形態によれば、連結タブが第２表面部３２２ｂおよび第４表面部３３２ｂから外れることなく設置可能であるため、保護回路モジュール３４０が第１および第２ベアセル３２０、３３０に結合されても、二次電池パック３００の全体体積が増加することが防止できる。
【００８７】
ここで、本実施形態にかかる二次電池パック３００は、第１および第２ベアセル３２０、３３０の２つのベアセルを含むことに限定されず、３つ以上のベアセルを含み、３つ以上のそれぞれのベアセルに保護回路モジュールが結合されることも可能である。
【００８８】
以上、本発明の好ましい実施形態について説明したが、本発明は、これに限定されるものではなく、特許請求の範囲と発明の詳細な説明および添付した図面の範囲内で多様に変形して実施することが可能であり、これも本発明の範囲に属することは当然である。
【符号の説明】
【００８９】
１０：ケース
２０：ベアセル
２１：ベアセル本体
３２１：第１ベアセル本体
３３１：第２ベアセル本体
２２：テラス部
２２１、３２２ａ：第１表面部
２２２、３２２ｂ：第２表面部
３３２ａ：第３表面部
３３２ｂ：第４表面部
３２２：第１テラス部
３３２：第２テラス部
３２０：第１ベアセル
３３０：第２ベアセル
３０、２３０、３４０：保護回路モジュール
２３２、３４２：第１連結タブ
２３３、３４３：第２連結タブ
３４４：第３連結タブ
３４５：第４連結タブ
２３、３２３：第１電極タブ
２４、３２４：第２電極タブ
３３３：第３電極タブ
３３４：第４電極タブ
３３ａ、２３３ａ、３４２ａ：連結部
３３ｂ：結合部
３３ｃ：折曲部
２３３ｂ、３４２ｂ：第１結合部
２３３ｃ、３４２ｃ：第２結合部
２３３ｄ、３４２ｄ：第３結合部
２３３ｅ：第１折曲部
２３３ｆ：第２折曲部
２３３ｇ：第３折曲部
【図１】
2015002172.tif 000003
【図２】
2015002172.tif 000004
【図３】
2015002172.tif 000005
【図４】
2015002172.tif 000006
【図５】
2015002172.tif 000007
【図６】
2015002172.tif 000008
【図７】
2015002172.tif 000009
【図８】
2015002172.tif 000010